(57)【要約】【課題】浴室の天井又は側壁に設置した浴室暖房乾燥機において、浴室内で効率よく衣類を乾燥させることができる浴室暖房乾燥機を提供することを目的としている。【解決手段】浴室暖房乾燥機本体２から浴室内に温風を吹出す本体吹出口１０と、本体吹出口１０とは別に、浴室暖房乾燥機本体２に温風を吹出す開口２２を備え、その開口２２と被乾燥物を干す物干具１８の風路ａ２３を連結し、風路ａ２３と連通している物干具吹出口２０から温風を吹出し、物干具１８に掛けられた衣類２１にその温風を当てることにより、衣類２１を効率良く乾燥させることとなる。【選択図】図１
2007236586.tif 000002
【特許請求の範囲】
【請求項１】
浴室の天井又は側壁に設置される浴室暖房乾燥機であって、浴室暖房乾燥機本体と前記本体から浴室内に温風を吹出す本体吹出口と前記本体吹出口とは別に本体に設けられた温風を吹出すための開口と被乾燥物を干す物干具を備え、前記物干具は風路と前記風路の接続口と前記風路に連通する物干具吹出口を備え、前記開口と前記接続口とを連結する連結手段とを備えたことを特徴とする浴室暖房乾燥機。
【請求項２】
開口と接続口とを風量調節手段を介して連結することを特徴とする請求項１記載の浴室暖房乾燥機。
【請求項３】
物干具は、前記物干具の長手方向の中心軸を中心に回転するようにしたことを特徴とする請求項１または２に記載の浴室暖房乾燥機。
【請求項４】
物干具吹出口を遮蔽する風路遮蔽手段を備えたことを特徴とする請求項１乃至３のいずれかに記載の浴室暖房乾燥機。
【請求項５】
物干具吹出口を複数備え、前記物干具吹出口が接続口から離れるにしたがい、前記物干具吹出口の開口面積を大きくするようにしたことを特徴とする請求項１乃至４のいずれかに記載の浴室暖房乾燥機。
【請求項６】
物干具は、断熱構造からなることを特徴とする請求項１乃至５のいずれかに記載の浴室暖房乾燥機。
【請求項７】
物干具は、風路とは別の流路を備えたことを特徴とする請求項１乃至６のいずれかに記載の浴室暖房乾燥機。
【請求項８】
物干具は、被乾燥物を掛けるための引掛部を有することを特徴とする請求項１乃至７のいずれかに記載の浴室暖房乾燥機。
【請求項９】
被乾燥物の水分の蒸発を検知する湿度センサーを備えたことを特徴とする請求項１乃至８のいずれかに記載の浴室暖房乾燥機。
【発明の詳細な説明】
【技術分野】
【０００１】
本発明は、浴室の天井又は側壁に設置し、浴室内での衣類乾燥を行う浴室暖房乾燥機に関する。なお、以下、熱源としてガスあるいは石油をエネルギー源とする熱源機により空気を加熱するものを例にとって説明するが、熱源としてヒーターにより空気を加熱する電気式のものも本発明の対象である。
【背景技術】
【０００２】
従来、この種の浴室暖房乾燥機は、下記に記載されたものが知られている。
【０００３】
以下、その浴室暖房乾燥機について図９を参照しながら説明する。浴室暖房乾燥機は、浴室１００の天井または壁面に設置されるが、図９は浴室暖房乾燥機を天井に設置した浴室の状態を模式的に示す図である。
【０００４】
図９に示すように、浴室暖房乾燥機本体１０１には、浴室１００内の空気を吸引する循環用ファン１０２と、浴室内の空気を吸込む本体吸込口１０３と、浴室外に設けられた熱源機１０４と、前記熱源機１０４と本体１０１とを接続して前記熱源機１０４から温水を前記本体１０１へ送る往流路１０５と前記本体１０１から前記熱源機１０４へ温水を戻す復流路１０６と、前記往流路１０５と本体１０１間とに設けられた熱動弁１０７と、前記本体吸込口１０３から吸込んだ浴室内の空気に熱を伝える熱交換器１０８と、浴室内に温風を吹出す本体吹出口１０９と、前記本体吸込口１０３から吸込んだ浴室内の湿った空気を排気ダクト１１０を経由して屋外に排気（換気）する換気用ファン１１１と、排気ダクト１１０への風路を制御する換気用ダンパー１１２と、浴室の一部として浴室壁面間を掛け渡すように備えられた物干具１１３と、が配置されており、物干具に掛けられた衣類１１４ａまたは衣類１１４ｂの乾燥が行われる（例えば、特許文献１参照）。
【特許文献１】特開２００１−３１４７００号公報
【発明の開示】
【発明が解決しようとする課題】
【０００５】
このような従来の浴室暖房乾燥機の場合、浴室内の温風の吹出しは、天井に設けられた本体吹出口１０９からであり、また換気用ファン１１１によって排気ダクト１１０を経由して浴室内の湿った空気を屋外に排気する本体吸込口１０３も天井に設けられているため、本体吹出口１０９から吹出された温風が衣類１１４ａの上方に当たってショートパス現象が発生しやすく、衣類１１４ａの場所によって温風が当たる部分と当たらない部分との衣類１１４ａの乾燥ムラが生じてしまう。
【０００６】
また、温風が当たりやすい場所に掛けた衣類１１４ａと温風が当たりにくい場所に掛けた衣類１１４ｂとの物干具１１３に掛ける衣類の場所によって、乾燥ムラが生じてしまい、物干具１１３に掛けられた位置の異なる衣類１１４ａと衣類１１４ｂとを均一に乾かすまでに時間がかかり、衣類乾燥に要するエネルギーが多くなる。
【０００７】
本発明は、このような従来の課題を解決するためのものであり、浴室内で効率よく衣類を乾燥させることができる浴室暖房乾燥機を提供することを目的としている。
【課題を解決するための手段】
【０００８】
本発明の浴室暖房乾燥機は、上記の目的を達成するために、浴室の天井又は側壁に設置される浴室暖房乾燥機であって、浴室暖房乾燥機本体と前記本体から浴室内に温風を吹出す本体吹出口と前記本体吹出口とは別に本体に設けられた温風を吹出すための開口と被乾燥物を干す物干具を備え、前記物干具は風路と前記風路の接続口と前記風路に連通する物干具吹出口を備え、前記開口と前記接続口とを連結する連結手段とを備えたものである。前記接続口とを連結する連結手段とを備えたものである。
【０００９】
この手段により、前記物干具吹出口から吹出された温風を前記物干具に掛けられた衣類などの被乾燥物に効率よく当てることができる浴室暖房乾燥機が得られる。
【００１０】
また、本発明の浴室暖房乾燥機は、上記の目的を達成するために、開口と接続口とを風量調節手段を介して連結することである。
【００１１】
この手段により、前記物干具吹出口から吹出される風量を調整し、前記物干具に掛けられた衣類などの被乾燥物の乾燥度合い、濡れ度合い、濡れのバラツキ、乾燥のバラツキに応じて温風を吹出し、効率よく衣類などの被乾燥物の乾燥ができる浴室暖房乾燥機が得られる。
【００１２】
また、本発明の浴室暖房乾燥機は、上記の目的を達成するために、物干具は、前記物干具の長手方向の中心軸を中心に回転するようにしたものである。
【００１３】
この手段により、前記物干具の長手方向の中心軸を中心に前記物干具吹出口から、回転しながら放射状に温風が吹出され、前記物干具に干された、掛けられた衣類などの被乾燥物に万遍なく温風が当たり、衣類などの被乾燥物の乾燥ムラを抑制し、効率よく衣類乾燥ができる浴室暖房乾燥機が得られる。
【００１４】
また、本発明の浴室暖房乾燥機は、上記の目的を達成するために、物干具吹出口を遮蔽する風路遮蔽手段を備えたことである。
【００１５】
この手段により、物干具に掛けられた衣類などの被乾燥物以外に吹出す温風を遮り、前記物干具吹出口から被乾燥物の方向、任意の方向に適切に温風を吹出し、効率よく衣類などの被乾燥物の乾燥ができる浴室暖房乾燥機が得られる。
【００１６】
また、本発明の浴室暖房乾燥機は、上記の目的を達成するために、物干具吹出口を複数備え、前記物干具吹出口が接続口から離れるにしたがい、前記物干具吹出口の開口面積を大きくするようにしたことである。
【００１７】
この手段により、前記物干具吹出口から吹出される風量を、前記物干具吹出口全てで均一にし、衣類などの被乾燥物の濡れのバラツキ、乾燥のバラツキ、衣類と衣類との乾燥ムラを抑え、効率よく衣類などの被乾燥物を乾燥させることができる浴室暖房乾燥機が得られる。
【００１８】
また、本発明の浴室暖房乾燥機は、上記の目的を達成するために、物干具を断熱構造としたことである。
【００１９】
この手段により、前記物干具吹出口から吹出される温風の温度低下を抑制することができ、また、複数の物干具吹出口から吹出される風、温風の温度を均一化し、物干し具に干された衣類などの被乾燥物の乾燥ムラを少なくすることができる浴室暖房乾燥機が得られる。
【００２０】
また、本発明の浴室暖房乾燥機は、上記の目的を達成するために、前記風路とは別の流路を備えたことである。
【００２１】
この手段により、前記流路に温水を流し、前記風路を温め、前記物干具吹出口から温風を吹出すことができる浴室暖房乾燥機が得られる。
【００２２】
また、本発明の浴室暖房乾燥機は、上記の目的を達成するために、衣類などの被乾燥物を掛けるための引掛部を設けたことである。
【００２３】
この手段により、前記物干具に掛けた衣類などの被乾燥物の落下を防止することができる浴室暖房乾燥機が得られる。
【００２４】
また、本発明の浴室暖房乾燥機は、上記の目的を達成するために、被乾燥物の水分の蒸発を検知する湿度センサーを備えたことである。
【００２５】
この手段により、被乾燥物の水分の蒸発を検知、水分の蒸発量・蒸発度合いを検知することで、衣類などの被乾燥物の乾燥の度合いを認知し、乾燥度合いに応じて前記物干具吹出口から吹出される温風量と温風温度とを制御することにより、衣類などの被乾燥物の乾燥に要する消費エネルギーを抑えることができる浴室暖房乾燥機が得られる。
【発明の効果】
【００２６】
本発明によれば、浴室内で効率よく衣類を乾燥させることができる浴室暖房乾燥機を提供できる。
【００２７】
また、前記物干具が温風によって加熱されることがなく、安全性の高い浴室暖房乾燥機を提供できる。
【００２８】
また、衣類の乾燥度合いに応じて適切な温風を浴室内に提供できる省エネルギーな浴室暖房乾燥機を提供できる。
【発明を実施するための最良の形態】
【００２９】
本発明の請求項１記載の浴室暖房乾燥機は、浴室の天井又は側壁に設置される浴室暖房乾燥機であって、浴室暖房乾燥機本体と前記本体から浴室内に温風を吹出す本体吹出口と前記本体吹出口とは別に本体に設けられた温風を吹出すための開口と被乾燥物を干す物干具を備え、前記物干具は風路と前記風路の接続口と前記風路に連通する物干具吹出口を備え、前記開口と前記接続口とを連結する連結手段とを備えたことを特徴とする浴室暖房乾燥機であり、前記物干具吹出口から吹出された温風を前記物干具に掛けられた衣類などの被乾燥物に効率よく当てて、浴室内で衣類などの被乾燥物を効率よく乾燥させることとができる。
【００３０】
本発明の請求項２記載の浴室暖房乾燥機は、開口と接続口とを風量調節手段を介して連結することを特徴とする請求項１記載の浴室暖房乾燥機であり、前記物干具吹出口から吹出される風量を調整し、前記物干具に掛けられた衣類などの被乾燥物の乾燥度合い、濡れ度合い、濡れのバラツキ、乾燥のバラツキに応じて温風を吹出し、効率よく衣類などの被乾燥物を乾燥させることができる。
【００３１】
本発明の請求項３記載の浴室暖房乾燥機は、物干具は、前記物干具の長手方向の中心軸を中心に回転するようにしたことを特徴とする請求項１または２に記載の浴室暖房乾燥機であり、前記物干具の長手方向の中心軸を中心に前記物干具吹出口から回転しながら放射状に温風が吹出され、前記物干具に干された、掛けられた衣類などの被乾燥物に万遍なく温風が当たり、衣類などの被乾燥物の乾燥ムラを抑制し、効率良く衣類などの被乾燥物が乾燥されることとなる。
【００３２】
本発明の請求項４記載の浴室暖房乾燥機は、物干具吹出口を遮蔽する風路遮蔽手段を備えたことを特徴とする請求項１乃至３のいずれかに記載の浴室暖房乾燥機であり、前記物干具に掛けられた衣類などの被乾燥物以外に吹出す温風を遮り、前記物干具吹出口から被乾燥物の方向、任意の方向に適切に温風を吹出し、効率よく衣類などの被乾燥物の乾燥ができるという作用を有する。
【００３３】
本発明の請求項５記載の浴室暖房乾燥機は、物干具吹出口を複数備え、前記物干具吹出口が接続口から離れるにしたがい、前記物干具吹出口の開口面積を大きくするようにしたことを特徴とする請求項１乃至４のいずれかに記載の浴室暖房乾燥機であり、前記物干具吹出口から吹出される風量を、前記物干具吹出口全てで均一にし、衣類などの被乾燥物の濡れのバラツキ、乾燥のバラツキ、衣類と衣類との乾燥ムラを抑え、効率よく衣類などの被乾燥物を乾燥させることができるという作用を有する。
【００３４】
本発明の請求項６記載の浴室暖房乾燥機は、前記物干具を断熱構造としたことを特徴とする請求項１〜５いずれかに記載の浴室暖房乾燥機であり、物干具からの放熱による物干具吹出口から吹出される温風の温度低下を抑制することができ、また、複数の物干具吹出口から吹出される風、温風の温度を均一化し、物干し具に干された衣類などの被乾燥物の乾燥ムラを少なくすることができるという作用を有する。
【００３５】
本発明の請求項７記載の浴室暖房乾燥機は、前記風路とは別の流路を備えたことを特徴とする請求項１〜６いずれかに記載の浴室暖房乾燥機であり、前記流路に温水を流し、前記風路を温め、前記物干具吹出口から温風を吹出すことができ、効率よく衣類などの被乾燥物を乾燥させることができるという作用を有する。
【００３６】
本発明の請求項８記載の浴室暖房乾燥機は、衣類などの被乾燥物を掛けるための引掛部を設けたことを特徴とする請求項１〜７いずれかに記載の浴室暖房乾燥機であり、前記物干具に掛けた衣類などの被乾燥物の落下を防止することができるという作用を有する。
【００３７】
本発明の請求項９記載の浴室暖房乾燥機は、被乾燥物の水分の蒸発を検知する湿度センサーを備えたことを特徴とする請求項１乃至８のいずれかに記載の浴室暖房乾燥機であり、被乾燥物の水分の蒸発を検知、水分の蒸発量・蒸発度合いを検知することで、衣類などの被乾燥物の乾燥の度合い、濡れ度合いを認知し、衣類の乾燥度合い、濡れ度合いに応じて前記物干具吹出口から吹出される温風量と温風温度とを制御することにより、衣類などの被乾燥物の乾燥に要する消費エネルギーを抑えることができるという作用を有する。
【００３８】
以下、本発明の実施の形態について図面を参照しながら説明する。
【００３９】
（実施の形態１）
図１は本発明の実施の形態における浴室暖房乾燥機の構成を示す図である。図１に示すように、浴室１の天井又は側壁に設置される浴室暖房乾燥機であって、浴室暖房乾燥機本体２と、前記浴室暖房乾燥機本体２から浴室内に温風を吹出す本体吹出口１０と、前記本体吹出口１０とは別に浴室暖房乾燥機本体２に設けられた温風を吹出すための開口２２と、接続口１６と前記接続口１６と繋がる風路と前記風路と繋がる物干具吹出口２０とを備えた衣類などの被乾燥物を掛けることができる物干具１８と、前記接続口１６と前記開口２２とを連結する連結手段（後述するダクト１７）と、を備えたことを特徴とする浴室暖房乾燥機であり、前記物干具吹出口２０から吹出された温風を前記物干具１８に掛けられた衣類などの被乾燥物に効率よく当てることができるという作用を有する。浴室暖房乾燥機は、浴室１内の天井に設置されていて、前記浴室暖房乾燥機本体２には浴室内の空気を吸引する循環用ファン３と、浴室内の空気を吸込む本体吸込口４と、浴室外に設けられた熱源機５と、熱源機５と浴室暖房乾燥機本体２とを接続している往流路６と復流路７と、往流路６と浴室暖房乾燥機本体２間とに設けられた熱動弁８と、本体吸込口４から吸込んだ浴室内の空気に熱を伝える熱交換器９と、浴室内に温風を吹出す本体吹出口１０と、排気ダクト１１を経由して浴室内の空気を屋外に排気（換気）する換気用ファン１２と、本体吹出口１０から浴室１内への風量を調節する本体吹出口ダンパー１３と、排気ダクト１１への風量を調節する換気用ダンパー１４と、前記本体吹出口１０とは別に本体に設けられた温風を吹出すための開口２２と、接続口１６と物干具吹出口２０とを有する衣類を掛けることができる物干具１８と、前記開口２２と前記接続口１６とを接続するダクト１７を設け、ダクト１７に前記開口２２から吹出す温風量を風量調節ダンパー１９を設ける。
【００４０】
上記構成において、前記往流路６を通って、前記浴室暖房乾燥機本体２の運転に伴い稼働する前記熱動弁８を経由して、前記熱交換器９を通過し、前記復流路７を通って前記熱源機５に戻る前記熱源機５で加熱された温水、例えば、８０℃の温水によって、前記循環用ファン３で前記本体吸込口４より吸引した前記浴室１内の空気と前記熱交換器９内の温水とを熱交換し、前記本体吹出口ダンパー１３を調節し、前記風量調節ダンパー１９を調節することによって、浴室暖房乾燥機本体２からの温風は風路ａ２３または風路ｂ２４で示すように前記物干具吹出口２０より浴室内に温風が吹出される。また、浴室内の湿った空気は風路ｄ２６で示すように、前記換気用ファン１２によって前記排気ダクト１１を経由して浴室外に排気される。
【００４１】
また、前記風量調節ダンパー１９を調節し、前記本体吹出口ダンパー１３を調節することによって、本体２からの温風は風路ｃ２５で示すように前記本体吹出口１０より浴室内に温風が吹出されるので、使用者の用途に合わせて前記風路ａ２３または前記風路ｂ２４、または前記風路ｃ２５に示すように温風を浴室内に吹出すことができ、使用者の用途に合わせて浴室内に温風を吹出すことができる。
【００４２】
また、前記風量調節ダンパー１９を調節し、前記風路ａ２３と前記風路ｂ２４に示される温風の吹出し風量を調節することで、衣類２１の乾く度合いに応じて、乾きにくいものを風量の多い側へ、乾きやすいものを風量の少ない側へ配置することで、適切な風量を各々の衣類２１に吹出し、各々の衣類２１の乾燥ムラを抑制し、効率よく衣類を乾燥することができる。
【００４３】
なお、実施の形態１では、前記接続口１６を前記物干具１８の両端に設けたが、前記接続口１６は前記物干具１８の任意の場所に設けてもよく、前記接続口１６はいくつでもよい。
【００４４】
従って、本実施の形態により、効率よく衣類の乾燥を行うことができる浴室暖房乾燥機を提供できる。
【００４５】
（実施の形態２）
実施の形態１と同一部分は同一番号を付し、詳細な説明は省略する。図２は本発明の実施の形態における浴室暖房乾燥機の構成を示す図である。本実施の形態では、前記接続口１６にモーター２７を設け、前記モーター２７によって、前記物干具１８が長手方向の中心軸を中心にして回転できるよう、構成する。実施の形態１と同一部分は同一番号を付し詳細な説明は省略する。
【００４６】
上記構成において、物干具１８の長手方向の中心軸を中心に、物干具１８のの回転にしたがい、物干具吹出口２０も回転し、物干具吹出口２０から回転しながら放射状に温風が吹出され、被乾燥物の衣類２１に万遍なく、温風が当たり、衣類の乾燥ムラがなく、効率良く衣類２１が乾燥されることとなる。
【００４７】
従って、本実施の形態により、物干具に掛けられた衣類の乾燥ムラを抑制し、効率よく衣類乾燥ができる浴室暖房乾燥機を提供することができる。
【００４８】
（実施の形態３）
実施の形態１、２と同一部分は同一番号を付し、詳細な説明は省略する。図３は本発明の実施の形態における浴室暖房乾燥機の構成を示す図である。
【００４９】
本実施の形態では、物干具吹出口２０を遮蔽する風路遮蔽手段として、モーター２７によって、物干具１８の長手方向の中心軸を中心に回転することができる風路遮蔽パネル２８を前記物干具１８の風路に設け、構成する。
【００５０】
上記構成において、モーター２７により風路遮蔽パネル２８が物干具１８の風路ａ２３内で回転すると、物干具吹出口２０が遮蔽され、物干具１８に掛けられた衣類などの被乾燥物の方向以外に吹出す温風を遮り、物干具吹出口２０から物干具１８に掛けられた衣類などの被乾燥物の方向に、任意の方向に温風が吹出される。
【００５１】
従って、本実施の形態により、衣類などの被乾燥物の方向に温風が吹出され、無駄なく効率よく衣類乾燥ができる浴室暖房乾燥機を提供することができる。
【００５２】
（実施の形態４）
実施の形態１乃至３と同一部分は同一番号を付し、詳細な説明は省略する。図４は本発明の実施の形態における浴室暖房乾燥機の構成を示す図である。本実施の形態では、物干具吹出口２０が接続口１６から距離が離れるにしたがい、物干具吹出口２０と接続口１６との間隔が広くなるにしたがい、物干具吹出口２０の開口面積を広くし、形状を大きく構成する。
【００５３】
上記構成において、物干具吹出口２０が接続口１６から距離が離れるにしたがい、圧力損失が生じるが、接続口１６から離れた物干具吹出口２０の開口面積を広く、大きくすることで、その生じた圧力損失を解消し、物干具吹出口２０に均一に風圧がかかるため、前記物干具吹出口２０より均一な温風が吹出されることとなる。
【００５４】
したがって、本実施の形態により、物干具吹出口２０から吹出される風量を、物干具吹出口２０全てで均一にし、物干具１８に干された、掛けられた衣類などの被乾燥物の濡れのバラツキ、乾燥のバラツキ、衣類と衣類との乾燥ムラを抑え、効率よく均一に衣類などの被乾燥物を乾燥させることができる浴室暖房乾燥機を提供できる。
【００５５】
（実施の形態５）
図５は本発明の実施の形態における浴室暖房乾燥機の構成を示す図である。実施形態１〜４と同一部分は同一番号を付し詳細な説明は省略する。本実施の形態では、前記物干具１８内に断熱材２９を設けた断熱構造として構成する。断熱材２９としては、断熱できれば良く、例えば発泡ポリエチレンなどがある。
【００５６】
上記構成において、物干具１８からの放熱、熱伝導に伴う温風の温度低下を防止し、物干具吹出口２０から均一の温度で温風を吹出し、物干具吹出口２０同士の温風の温度差を防止する。また、前記物干具１８内の温風の熱伝導によって加熱される物干具１８の表面温度の上昇を抑制する。
【００５７】
従って、本実施の形態により、物干具吹出口２０から吹出される温風の温度を維持し、均一の温度で温風を吹出し、衣類などの被乾燥物の乾燥ムラを抑制して、効率良く均一に衣類などの被乾燥物の乾燥、および衣類などの被乾燥物の乾燥に要する消費エネルギーを抑制することができる。
【００５８】
（実施の形態６）
図６は本発明の実施の形態における浴室暖房乾燥機の構成を示す図である。実施形態１〜５と同一部分は同一番号を付し詳細な説明は省略する。本実施の形態では、前記風路とは別の流路３０を備え、構成する。
【００５９】
上記構成において、流路３０に温水を流し、風路ａ２３を温め、物干具吹出口２０から温風を吹出すことができる浴室暖房乾燥機が得られる。
【００６０】
従って、本実施の形態により、温風の熱量のロスを抑制し、効率よく衣類を乾燥させる浴室暖房乾燥機を提供することができる。
【００６１】
（実施の形態７）
図７は本発明の実施の形態における浴室暖房乾燥機の構成を示す図である。本実施の形態では、物干具１８に衣類２１を吊るすための物干具引掛部３１を前記物干具１８を加工し設け、構成する。実施形態１〜６と同一部分は同一番号を付し詳細な説明は省略する。
【００６２】
上記構成において、前記物干具１８の物干具引掛部３１にハンガー３２を用いて、衣類を掛ける。もちろん、ハンガー３２のように衣類を掛ける道具なら何を用いて衣類を掛けてもよい。
【００６３】
従って、本実施の形態により、衣類などの被乾燥物の乾燥効率を高め、また衣類などの被乾燥物の落下を防止することができる浴室暖房乾燥機を提供できる。
【００６４】
なお、本実施の形態７では、前記物干具１８を加工し前記物干具引掛部３１を設けたが、衣類を掛けるためのリングなどを前記物干具１８に備えても良く、衣類などの被乾燥物の乾燥効率を高め、また衣類などの被乾燥物の落下を防止することができる浴室暖房乾燥機を提供することができる。
【００６５】
（実施の形態８）
図８は本発明の実施の形態における浴室暖房乾燥機の構成を示す図である。実施形態１〜７と同一部分は同一番号を付し詳細な説明は省略する。本実施の形態では、物干具１８に衣類水分の蒸発を検知する湿度センサー３３を設け、構成する。
【００６６】
上記構成において、本発明の浴室暖房乾燥機における動作を説明する。物干具１８に掛けられた衣類２１の水分の蒸発を、物干具１８に設けられた湿度センサー３３によって検知し、検知された湿度センサー３３の値に応じて、物干具吹出口２０から吹出される風量と熱源機５で加熱される温水の温度とを制御し、適切な温風を物干具１８に掛けられた衣類２１に前記物干具吹出口２０より吹出す。濡れた状態のときは、蒸発量が多く、湿度が高くなり、その高湿度時、例えば湿度８０〜１００％ＲＨ時には、温風の温度を高く、風量を多くして、乾燥を早め、乾燥が進むと、蒸発量が少なくなり、湿度が低くなるが、その湿度が低くなった時、例えば、湿度７０％ＲＨに低下した時には、温風の温度を下げ、更に、乾燥が進み、低湿度時、例えば湿度５０％ＲＨに低下時には、風量を少なくし、省エネルギーにて、衣類などの被乾燥物の乾燥を行うものである。なお、上記湿度と温風温度、温風量との関係は、上記に限定するものでなく、乾燥時間、乾燥量、季節などの条件によって、適宜設定すれば良いことはいうもでもない。また、湿度センサー３３は、衣類などの被乾燥物の雰囲気湿度が検出、検知できれば良く、例えば、高分子膜湿度センサーなどがある。本実施例では、湿度センサー３３を物干具１８に設けたが、特にこれに限定するものでなく、例えば、物干具１８から２０ｍｍ〜１００ｍｍ程度離れた上方に設けるなど、衣類などの被乾燥物の蒸発水分の雰囲気湿度が検出、検知できれば良い。
【００６７】
従って、本実施の形態により、水分の蒸発を検知、水分の蒸発量・蒸発度合いを検知することで、衣類などの被乾燥物の乾燥の度合い、濡れ度合いを認知し、衣類の乾燥度合い、濡れ度合いに応じて物干具吹出口から吹出される温風量と温風温度とを制御することにより、衣類などの被乾燥物の乾燥に要する消費エネルギーを抑制した浴室暖房乾燥機を提供することができる。
【００６８】
以下、本発明の実施の形態について図面を参照しながら説明する。
【産業上の利用可能性】
【００６９】
本発明の浴室暖房乾燥機は、ユニットバスや衣類乾燥室に、同様の構成を設けることで、効率のよい衣類の乾燥を行うことができる。
【図面の簡単な説明】
【００７０】
【図１】本発明の実施の形態１の浴室暖房乾燥機を示す構成図
【図２】同実施の形態２の浴室暖房乾燥機を示す構成図
【図３】同実施の形態３の浴室暖房乾燥機を示す構成図
【図４】同実施の形態４の浴室暖房乾燥機を示す構成図（（ａ）は斜視図、（ｂ）はＡ−Ａ’断面図）
【図５】同実施の形態５の浴室暖房乾燥機を示す構成図
【図６】同実施の形態６の浴室暖房乾燥機を示す構成図（（ａ）は斜視図、（ｂ）は物干具の拡大図）
【図７】同実施の形態７の浴室暖房乾燥機を示す構成図
【図８】同実施の形態８の浴室暖房乾燥機を示す構成図
【図９】従来の浴室暖房乾燥機を示す構成図
【符号の説明】
【００７１】
１    浴室
２    浴室暖房乾燥機本体
３    循環用ファン
４    本体吸込口
５    熱源機
６    往流路
７    復流路
８    熱動弁
９    熱交換器
１０  本体吹出口
１１  排気ダクト
１２  換気用ファン
１３  本体吹出口ダンパー
１４  換気用ダンパー
１５  浴室壁面
１６  接続口
１７  ダクト
１８  物干具
１９  風量調節ダンパー
２０  物干具吹出口
２１  衣類
２２  開口
２３  風路ａ
２４  風路ｂ
２５  風路ｃ
２６  風路ｄ
２７  モーター
２８  風路遮蔽パネル
２９  断熱材
３０  流路
３１  物干具引掛部
３２  ハンガー
３３  湿度センサー
【図１】
2007236586.tif 000003
【図２】
2007236586.tif 000004
【図３】
2007236586.tif 000005
【図４】
2007236586.tif 000006
【図５】
2007236586.tif 000007
【図６】
2007236586.tif 000008
【図７】
2007236586.tif 000009
【図８】
2007236586.tif 000010
【図９】
2007236586.tif 000011